(57)【要約】      （修正有） 【課題】ロール・ティッシュ（トイレット・ペーパー）の芯を抜いて立てて入れ、中心部の先端を引き出し、必要な長さだけ、片手で切り取るカッター付きの容器を提供する。【解決手段】ロール・ティッシュ（トイレット・ペーパー）を、必要なだけ片手で切り取ることができ、容器を自由に持ち運ぶことができ,流通・在庫管理上、かさばらないように、上蓋１と下底３、およびギザギザのカッター５が付いている厚紙か合成樹脂板（２枚）の３種類で構成する。【選択図】図１
2006289028.tif 000002
【特許請求の範囲】
【請求項１】
芯を抜いたロール・ティッシュ（トイレット・ペーパー）を立てて入れ、必要な長さだけ、中心部から先端を引き出して、片手で、下に押して切り取るギザギザのカッター付きの多角柱か、または円柱（または一部分が平面の円柱）の容器。（図１、図３）
【請求項２】
下底（３）に、上部の角にギザギザのカッター（５）の付いた２枚の壁面（４）を貼り合わせて組み立て、上蓋（１）で蓋をする「請求項１」の多角柱または円柱（または一部分が平面の円柱）の容器。（図２、図３）
【請求項３】
透明か、内部が見える小窓（６）のある上蓋の中心部分に、鋭角的な多角形の穴（２）をあけた「請求項１」の多角柱、または円柱（または一部分が平面の円柱）の容器。（図３）
【請求項４】
壁面（４）の穴（８）にフックを挿し込み、既設の掛け金に掛けたり、手で曲げて、既設の横棒や紐などに掛けたりして使う「請求項１」の多角柱、または円柱（または、一部分が平面の円柱）の容器。（図４）
【請求項５】
壁面（４）に両面粘着テープを貼り、既設の室内や什器の壁面などに貼って固定して使用する「請求項１」の多角柱または円柱（または一部分が平面の円柱）の容器。
【発明の詳細な説明】
【技術分野】
【０００１】イ．芯を抜いたロール・ティッシュ（トイレット・ペーパー）を、
ロ．壁面（４）の上部にギザギザのカッター（５）が付いた多角柱または円柱（または一部分が平面の円柱）の容器に立てて入れ、
ハ．上蓋（１）の中心部の鋭角の多角形の穴（２）から、片手でペーパーの先端を必要な長さだけ引き出し、
ニ．ペーパーを壁面（４）上部の角のギザギザのカッター（５）に当て、下方に押して片手で切り取って使うものである。（図１）
ホ．切り取られたペーパーが、引き出されたまま蓋の上に残るので、次に使うときに、口からつまみ出す手間がはぶける。
ヘ．ペーパーを使い終わったら、従来品のようには容器を捨てずに、芯を抜いた新しいロール・ペーパーを入れる。
ト．素材は、厚紙ないし合成樹脂板など。
チ．多角柱または円柱（または一部分が平面の円柱）の容器の壁面の穴（８）に、「請求項４」のフックを挿し込み（図４）、既設の掛け金に掛けたり、手で曲げて、既設の横棒や紐などに掛けたりしても使用できる。
リ．多角柱または円柱（または一部分が平面の円柱）の容器の壁面（４）を、「請求項５」の両面粘着テープで、既設の室内や什器の壁面に貼って固定しても使用できる。
ヌ．ただ置くだけの場合は円柱でよいが、既設の室内や什器などの壁面に貼って固定する場合は、円柱の一部分を平面にする。（図３）
【背景技術】
【０００２】イ．従来のティッシュは、決まった大きさのものを使うほかなかった。
ロ．一方、ロール・ティッシュ（トイレット・ペーパー）は壁に取り付けてあるため、その場所でしか使えず、また手を添えないと切り取れず、さらに、切り取ったあと、ペーパーを引き出す必要があった。
いずれも、手がるに持ち運んだり、好みの場所に貼り付けたりして、必要な長さに片手で切り取るという課題を同時に解決することができなかった。
【発明の開示】
【発明が解決しようとする課題】
【０００３】  イ．従来のティッシュは、必要な長さだけ、片手で切り取ることができなかった。
ロ．手がるに持ち運ぶことができなかった。
ハ．手がるに好みの場所に据え付けることができなかった。
ニ．ペーパーがなくなると、容器を捨て、容器ごと新しいものを使うほかなかった。
本発明は、従来品が解決できなかったこれらの点をなくすために、なされたものである。
【発明を解決するための手段】
【０００４】  そこで本発明は、従来品の欠点をなくすため、
イ．芯を抜いたロール・ティッシュ（トイレットペーパー）を立てて入れ、中心部の先端を引き出して、容器の上部の角のギザギザのカッター（５）で、必要な長さに、片手で、下方に押して切り取る。（図１）
ロ．流通・在庫管理上、かさばらないようにするために、上蓋（１）と下底（３）に、ギザギザのカッター（５）の付いた折り目のある壁面（４）の３種類の部品だけを組み立てる。（図２）完全な円柱の場合は折り目は不要。
ハ．上蓋の中心部に鋭角の多角形の穴（２）をあけて、ペーパーを切り取るときに、ひっかかるようにする。（図３）
ニ．上蓋を透明にするか、上蓋に内部が見える小窓（６）をあけて、ペーパーの残りが確認できるようにする。（図３）
ホ．「請求項４」のフックを挿し込み、既設の掛け金に掛けたり、手で曲げて既設の棒・紐などに掛けたりして使用することもできる。（図４）
ヘ．「請求項５」の両面粘着テープで、既設の室内や什器の壁面などに貼って、固定して使用することもできる。
ト．ペーパーを使い終わったら、新しいロール・ペーパーを入れればよい。
【発明の効果】
【０００５】  イ．ロール・ティッシュ（トイレット・ペーパー）を入れて、自由に持ち運びできる。
ロ．ロール・ティッシュ（トイレット・ペーパー）を必要なだけ片手で切り取れる。
ハ．上蓋と下底、およびカッター（５）の付いた壁面（４）だけの単純な構成で済む。
ニ．かさばらないので、流通・在庫管理上、便利である。
ホ．壁面（４）の一部の折り目で折って、薄く包装して、流通・在庫管理の便を図る。
ヘ．粘着テープ部（７）を貼り合わせるだけで、簡単に組み立てることができる。
ト．上蓋の中心部にある鋭角の多角形の穴（６）にペーパーがひっかかるので、片手で下方に押して、切り取ることができる。
チ．上蓋が透明でない場合は、小窓（７）により、中のペーパーの残りを確認できる。
リ．カッター部分が壁面上部の凹みにあるので、手を痛める心配がない。
ヌ．「請求項４」のフックを挿し込み、既設の掛け金に掛けたり、手で曲げて既設の棒・紐などに掛けたりして使用することもできる。（図４）
ル．「請求項５」の両面粘着テープで、既設の室内や什器の壁面などに貼って、固定して使用することもできる。
オ．ペーパーを使い終わったら、新しいロール・ペーパーを入れればよい。
【発明を実施するための最良の形態】
【０００６】  イ．ロール・ティッシュ（トイレット・ペーパー）の芯は、親指の爪先で押し出す。押して抜き出しにくいときは、芯とペーパーの間に裁ちバサミを挿し込んで切る。
ロ．下底は粘着部（７）で固定し、上蓋をあけて、ロール・ティッシュ（トイレットペーパー）を入れて、中央部の先端から引き出して、蓋をする。
ハ．ペーパーを使い終わったら、芯を抜いた新しいロール・ペーパーを入れる。
ニ．「請求項４」の付属品のフックを容器の壁面（４）の穴に挿し込み、既設の掛け金に掛けて使用したり、フックを曲げて、既設の棒・紐などに掛けて使用する。
ホ．「請求項５」の付属品の両面粘着テープを容器の壁面（４）に貼って、既設の壁面などに貼って使用する。
ヘ．壁面（４）の一部の折り目で折って、薄く包装して、流通・在庫管理の便を図る。
【実施例】
【０００７】  イ．「請求項１」から「請求項５」までのすべてについて試みた結果、使いやすく、「発明の効果」欄のような効果があった。
ロ．縦長なので、上部をつまんで持ち運びやすく、また既設の壁面などにも据え付けやすく、ペーパーも片手で切り取りやすく、どこに置いても、邪魔にならない。
ハ．ペーパーを使い終わったら、新しいロール・ペーパーを入れればよい。
ニ．「請求項４」の付属品のフックを容器の壁面（４）の穴に挿し込み、既設の掛け金に掛けて使用したり、フックを曲げて（９）、既設の棒・紐などに掛けて使う。
ホ．「請求項５」の付属品の両面粘着テープを容器の壁面（４）に貼って、既設の壁面などに貼って使用する。
【産業上の利用可能性】
【０００８】  イ．上蓋と下底、およびカッター（５）のある壁面（４）から成るだけの構成のため、簡単に製造でき、流通・在庫管理上も、かさばらず、好都合である。
ロ．壁面（４）の一部の折り目で折り、薄く包装して、流通・在庫管理の便を図る。
ハ．部屋の１コーナーに１個は必要で、家庭や事業所・企業での需要は極めて大きい。
ニ．商品としても、景品としての利用価値も極めて大きい。
【図面の簡単な説明】
【０００９】
【図１】  ティッシュを切るときの斜視図
【図２】  上蓋と下底に、ギザギザのカッター（５）ガ付いた壁面（４）を貼って、組み立てる斜視図（棒線の斜線部は貼り合わせる部分）
【図３】  一部が平面の円柱の上蓋の平面図
【図４】  フックの斜視図。点線は曲げた状態（９）。
【符号の説明】
【０００１０】  １  上蓋
２  上蓋の中心にあけた鋭角の多角形の穴
３  下底
４  ギザギザのカッターのある壁面
５  折り目（円柱の場合は不要）のある壁面の凹みに付けたギザギザのカッター
６  上蓋の小窓
７  粘着部
８  フックの穴
９  手で曲げたフック
【図１】
2006289028.tif 000003
【図２】
2006289028.tif 000004
【図３】
2006289028.tif 000005
【図４】
2006289028.tif 000006